(57)【要約】【課題】簡易な構成で落下を防止することができるプロジェクタを提供すること。【解決手段】光源と、前記光源から射出された光束を変調して光学像を形成する光変調装置と、形成された光学像を投射する投射光学装置と、これら前記光源、前記光変調装置および前記投射光学装置を内部に収納する外装筐体２とを備えたプロジェクタであって、外装筐体２には、当該プロジェクタを所定の位置に固定する固定部材９１が挿通する孔部２Ｅ９が形成され、孔部２Ｅ９には、当該孔部２Ｅ９を挿通した固定部材９１に係合する取付部材７１が設けられ、取付部材７１には、孔部２Ｅ９の内径寸法より大きな外径寸法を有し、外装筐体２の内面に対向するフランジ部７１２が形成され、外装筐体２の内面と、フランジ部７１２との間には、当該フランジ部７１２の外径寸法よりも大きな外径寸法を有する介装部材７２が介在配置されている。【選択図】図５
2007240982.tif 000002
【特許請求の範囲】
【請求項１】
光源と、前記光源から射出された光束を変調して光学像を形成する光変調装置と、形成された光学像を投射する投射光学装置と、これら前記光源、前記光変調装置および前記投射光学装置を内部に収納する外装筐体とを備えたプロジェクタであって、
前記外装筐体には、当該プロジェクタを所定の位置に固定する固定部材が挿通する孔部が、前記外装筐体を貫通するように形成され、
前記外装筐体内には、前記孔部に対応する位置に、当該孔部を挿通した前記固定部材に係合する取付部材が設けられ、
前記取付部材には、前記孔部の内径寸法より大きな外径寸法を有し、前記外装筐体の内面に対向するフランジ部が設けられ、
前記外装筐体の内面と、前記フランジ部との間には、当該フランジ部の外径寸法よりも大きな外径寸法を有する介装部材が介在配置されていることを特徴とするプロジェクタ。
【請求項２】
請求項１に記載のプロジェクタにおいて、
前記取付部材は、前記孔部内に挿入され、内部にねじ孔が形成された筒状部を有するインサートナットであり、
前記介装部材は、前記筒状部が挿通する孔部が形成されたワッシャであり、
前記固定部材は、前記ねじ孔に螺合するボルトであることを特徴とするプロジェクタ。
【請求項３】
請求項１または請求項２に記載のプロジェクタにおいて、
前記外装筐体の内面には、前記内面から起立し、前記介装部材の外径寸法に応じて、前記孔部を囲む起立部が形成されていることを特徴とするプロジェクタ。
【発明の詳細な説明】
【技術分野】
【０００１】
本発明は、光源と、前記光源から射出された光束を変調して光学像を形成する光変調装置と、形成された光学像を投射する投射光学装置と、これら前記光源、前記光変調装置および前記投射光学装置を内部に収納する外装筐体とを備え、建物の天井や側壁等の壁面に取付可能なプロジェクタに関する。
【背景技術】
【０００２】
従来、光源から射出された光束を画像情報に応じて変調して光学像を形成し、当該光学像をスクリーン等に拡大投射するプロジェクタが知られている。このようなプロジェクタは、机等の設置面上に載置された正置き姿勢で利用されることが多いが、正置き姿勢に対して上下が逆となるように天井等に取り付けられた天吊り姿勢で用いられることもある。このため、天吊り姿勢で天井等に取付可能な構造を有するプロジェクタが知られている（例えば、特許文献１参照）。
この特許文献１に記載のプロジェクタは、下ケースに設けられたインサートナット等の固定部と、天井に固定されたボルト等の固定用部材とにより、当該プロジェクタを天井に固定することができるように構成されている。
【０００３】
【特許文献１】特開２００５−２１５１４４号公報（第１５頁、図１３）
【発明の開示】
【発明が解決しようとする課題】
【０００４】
しかしながら、特許文献１に記載のプロジェクタでは、油脂等が付着したインサートナット等の固定部が下ケースに取り付けられると、当該油脂が下ケースに浸透し、当該下ケースにおいてケミカルストレスクラックが生じる可能性がある。このケミカルストレスクラックが生じた場合には、下ケースが破損して、固定部を残したままプロジェクタが落下する恐れがあり、プロジェクタの落下防止構造を別途設ける必要がある。このため、プロジェクタの構成が複雑となるという問題がある。
このような問題から、簡易な構成で、天吊り姿勢とした場合の落下を防止できるプロジェクタが要望されてきた。
【０００５】
本発明の目的は、簡易な構成で落下を防止することができるプロジェクタを提供することである。
【課題を解決するための手段】
【０００６】
前記した目的を達成するために、本発明のプロジェクタは、光源と、前記光源から射出された光束を変調して光学像を形成する光変調装置と、形成された光学像を投射する投射光学装置と、これら前記光源、前記光変調装置および前記投射光学装置を内部に収納する外装筐体とを備えたプロジェクタであって、前記外装筐体には、当該プロジェクタを所定の位置に固定する固定部材が挿通する孔部が、前記外装筐体を貫通するように形成され、前記外装筐体内には、前記孔部に対応する位置に、当該孔部を挿通した前記固定部材に係合する取付部材が設けられ、前記取付部材には、前記孔部の内径寸法より大きな外径寸法を有し、前記外装筐体の内面に対向するフランジ部が設けられ、前記外装筐体の内面と、前記フランジ部との間には、当該フランジ部の外径寸法よりも大きな外径寸法を有する介装部材が介在配置されていることを特徴とする。
【０００７】
ここで、所定の位置とは、例えば、建物内の天井や側壁等の壁面を例示することができる。
本発明によれば、固定部材が、外装筐体に形成された孔部を介して、取付部材に係合する。また、この孔部が形成された外装筐体の内面と、当該孔部に設けられた取付部材のフランジ部との間には、当該フランジ部の外径寸法より大きな外径寸法を有する介装部材が介在配置されている。
これによれば、固定部材と取付部材とが係合した際に、当該取付部材に設けられたフランジ部が、介装部材とともに外装筐体を支えるので、プロジェクタを壁面に取り付けることが可能となる。
ここで、壁面に取り付けられたプロジェクタにおいて、孔部および当該孔部近傍の外装筐体が破損し、当該プロジェクタが壁面から外れそうになった場合には、プロジェクタの荷重に対して、外装筐体の内面と取付部材のフランジ部との間に介装された介装部材を介して、固定部材と係合した取付部材のフランジ部が外装筐体の内面を支えるので、プロジェクタの壁面からの落下を防止することができる。従って、簡易な構成で、プロジェクタの落下を防止することができる。また、取付部材の孔部への圧入作業の作業性を向上することができる。
【０００８】
本発明では、前記取付部材は、前記孔部内に挿入され、内部にねじ孔が形成された筒状部を有するインサートナットであり、前記介装部材は、前記筒状部が挿通する孔部が形成されたワッシャであり、前記固定部材は、前記ねじ孔に螺合するボルトであることが好ましい。
本発明によれば、取付部材、介装部材および固定部材を、インサートナット、ワッシャおよびボルトで構成することにより、これらを簡易な構成とすることができる。これにより、プロジェクタの構成を一層簡略化することができる。
また、取付部材がインサートナットであるので、取付部材を外装筐体に熱圧入や超音波処理等により、簡易に取り付けることができる。
さらに、固定部材としてのボルトと、取付部材としてのインサートナットとを螺合させることにより、簡単かつ確実に、プロジェクタを壁面に取り付けることができる。
【０００９】
本発明では、前記外装筐体の内面には、前記内面から起立し、前記介装部材の外径寸法に応じて、前記孔部を囲む起立部が形成されていることが好ましい。
本発明によれば、介装部材が対向する外装筐体の内面に、孔部を囲む起立部が形成されていることにより、外装筐体を厚くして当該外装筐体の強度を高めることができる。従って、壁面にプロジェクタが設置されている場合に、介装部材を介して取付部材のフランジ部から加わる応力に対する外装筐体の強度を、簡易な構成で向上することができるとともに、単位面積あたりの荷重を減少させることができる。よって、プロジェクタの落下をより確実に防止することができる。
【００１０】
また、外装筐体が合成樹脂により形成され、起立部が複数のリブにより形成されている場合には、当該リブが形成された領域の外装筐体の変形を抑えることができる。
ここで、合成樹脂により外装筐体が形成されている場合には、外装筐体に部分的な厚さ寸法の違いがあると、当該外装筐体の成形時に、厚さ寸法が大きな部分の反対側の面に、「引け」と言われる凹み等の変形が生じてしまう場合がある。
これに対し、介装部材が対向する外装筐体の内面に、起立部としての複数のリブが形成されていることにより、当該外装筐体において、厚さ寸法に差がある領域を小さく、かつ、分割することができる。これにより、外装筐体に変形が生じることを抑えることができる。
【発明を実施するための最良の形態】
【００１１】
以下、本発明の一実施形態を図面に基づいて説明する。
（１）プロジェクタ１の外観構成
図１は、本発明に係るプロジェクタ１を上方前面側から見た斜視図である。図２は、プロジェクタ１を下方背面側から見た斜視図である。
本実施形態のプロジェクタ１は、内部に設けられた光源から射出された光束を、画像情報に応じて変調して光学像を形成し、当該光学像をスクリーン等に拡大投射する。このプロジェクタ１は、図１および図２に示すように、後述する装置本体３を収納する合成樹脂製の外装筐体２を備えている。
【００１２】
この外装筐体２は、射出成形等によって成形された略直方体状の筐体であり、プロジェクタ１の上面、２つの側面、前面、および背面をそれぞれ構成するアッパーケース２１と、プロジェクタ１の下面、２つの側面、前面、および背面をそれぞれ構成するロアーケース２２とを備えている。これらアッパーケース２１およびロアーケース２２は、互いにねじ固定されている。なお、外装筐体２は、合成樹脂等に限らず、その他の材料にて形成してもよく、例えば、金属等により構成してもよい。
【００１３】
図１に示すように、アッパーケース２１により構成される外装筐体２の上面２Ａには、前方側（後述する投射レンズ４６による光学像の投射方向の先端側）に操作パネル２Ａ１が設けられている。この操作パネル２Ａ１には、電源スイッチや、投射画像のズーム等を行う各種スイッチが配設されている。また、この操作パネル２Ａ１の近傍には音声出力用のスピーカ孔２Ａ２が形成されており、当該スピーカ孔２Ａ２の内部にはスピーカ（図示省略）が配置されている。
【００１４】
アッパーケース２１およびロアーケース２２により形成される外装筐体２の側面のうち、投射レンズ４６に近い側の側面２Ｂには、当該アッパーケース２１およびロアーケース２２に跨る開口２Ｂ１が形成されている。この開口２Ｂ１の内側には、後述する制御ユニットに接続されるインターフェース基板５１が設けられており、当該開口２Ｂ１を介して、インターフェース基板５１に設けられた各端子５１Ａが露出している。これら端子５１Ａには、外部の電子機器が接続される。
【００１５】
アッパーケース２１およびロアーケース２２により形成される前面部２Ｃには、図１における右側に、当該アッパーケース２１およびロアーケース２２を跨ぐ略円形状の開口２Ｃ１が形成されている。この開口２Ｃ１には、後述する光学ユニット４を構成し、光学像を投射する投射レンズ４６が露出している。
また、前面部２Ｃには、図１における左側に、排気口２Ｃ２が形成されており、当該排気口２Ｃ２に応じて外装筐体２内部に設けられたファン（図示省略）により、プロジェクタ１を構成する電子部品および光学部品等を冷却した空気が排出される。
【００１６】
図２に示すように、アッパーケース２１およびロアーケース２２により形成される背面部２Ｄには、図２における右側に矩形状の開口２Ｄ１が形成されている。この開口２Ｄ１には、電源ケーブル（図示省略）が接続されるインレットコネクタ２Ｄ２が露出している。
【００１７】
ロアーケース２２によって形成される下面部２Ｅには、図２における右側に、後述する光学ユニット４を構成する光源装置４１１（図３参照）を交換するための略矩形状の開口２Ｅ１が形成されている。開口２Ｅ１には、当該開口２Ｅ１を覆うカバー２Ｅ２が着脱自在に設けられている。このランプカバー２Ｅ２を取り外すことにより、光源装置４１１の交換が容易に行えるようになっている。
【００１８】
また、下面部２Ｅにおいて、図２における左側には、一段内側に凹んだ矩形面２Ｅ３が形成されている。この矩形面２Ｅ３には、外部から冷却空気を吸入するための吸気口２Ｅ４が形成されている。この矩形面２Ｅ３には、当該矩形面２Ｅ３を覆う吸気口カバー２Ｅ５が着脱自在に設けられている。吸気口カバー２Ｅ５には、吸気口２Ｅ４に対応する開口２Ｅ６が形成されている。開口２Ｅ６には、図示しないエアフィルタが設けられており、外装筐体２内部への塵埃の侵入が防止されている。
【００１９】
さらに、下面部２Ｅにおいて、後方側の略中央位置にはプロジェクタ１の脚部を構成する固定脚部２Ｅ７が形成されており、また、前方側の左右の隅部には、調節脚部２Ｅ８がそれぞれ設けられている。
このうち、２つの調節脚部２Ｅ８は、それぞれ上下方向に進退可能に構成されており、プロジェクタ１の前後方向および左右方向の傾き（姿勢）を調整して、投射画像の位置調整ができるようになっている。
【００２０】
また、下面部２Ｅにおいて、略中央と、それぞれの調節脚部２Ｅ８近傍とには、合計３つの孔部２Ｅ９およびボス２Ｅ１０が形成されている。
これら孔部２Ｅ９は、ロアーケース２２を上下に貫通するように形成され、外側から見える部分では内径が小さく、内側の部分では内径が大きくなるように段差をもって形成されている（図５参照）。この孔部２Ｅ９の内部には、下面部２Ｅの内側から後述する取付構造７が埋設されている。
それぞれのボス２Ｅ１０は、孔部２Ｅ９の周囲を覆い、かつ、下面部２Ｅおよびロアーケース２２の内面２２Ａ（図４および図５参照）からそれぞれ面外方向に突出するように形成されている。
なお、取付構造７の構成については、後に詳述する。
【００２１】
（２）プロジェクタ１の内部構成
図３は、プロジェクタ１の内部構成を示す模式図である。
外装筐体２の内部には、図３に示すように、装置本体３を構成する光学ユニット４、詳しい図示を省略するが、電源装置、制御装置および冷却装置が設けられている。
このうち、電源装置は、プロジェクタ１を構成する各電子部品に電力を供給する。また、制御装置は、プロジェクタ１全体を制御する。そして、冷却装置は、複数のファンを備えて構成され、制御装置による制御下で当該複数のファンを駆動して、発熱する光学部品および電子部品を冷却する。
【００２２】
（３）光学ユニット４の構成
光学ユニット４は、制御装置による制御の下、光源から射出された光束を、光学的に処理して画像情報に対応した光学像（カラー画像）を形成するユニットである。この光学ユニット４は、外装筐体２の背面に沿って延出するとともに、当該外装筐体２の側面に沿って延出する平面視略Ｌ字形状を有している。
この光学ユニット４は、図３に示すように、照明光学装置４１と、色分離光学装置４２と、リレー光学装置４３と、電気光学装置４４と、これらのうち、光学部品４１〜４４を内部に収納配置する光学部品用筐体４５と、投射レンズ４６とを備えている。
【００２３】
照明光学装置４１は、電気光学装置４４を構成する後述する液晶パネル４４１の画像形成領域をほぼ均一に照明するための光学系である。この照明光学装置４１は、光源装置４１１と、第１レンズアレイ４１２と、第２レンズアレイ４１３と、偏光変換素子４１４と、重畳レンズ４１５とを備えて構成されている。
【００２４】
光源装置４１１は、放射状の光線を射出する光源ランプ４１６と、この光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプやメタルハライドランプ、高圧水銀ランプを利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２５】
第１レンズアレイ４１２は、光軸方向から見て略矩形状の輪郭を有する小レンズがマトリクス状に配列された構成を有している。各小レンズは、光源装置４１１から射出される光束を、複数の部分光束に分割する。
第２レンズアレイ４１３は、第１レンズアレイ４１２と同様な構成を有しており、小レンズがマトリクス状に配列された構成を有している。この第２レンズアレイ４１３は、
当該第２レンズアレイ４１３の光路後段に配置された重畳レンズ４１５とともに、第１レンズアレイ４１２の各小レンズから射出された像を、電気光学装置４４の後述する液晶パネル４４１の画像形成領域に結像させる機能を有している。
【００２６】
偏光変換素子４１４は、第２レンズアレイ４１３と重畳レンズ４１５との間に配置され、第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル４４１の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２７】
色分離光学装置４２は、２枚のダイクロイックミラー４２１，４２２と、反射ミラー４２３とを備え、ダイクロイックミラー４２１，４２２により照明光学装置４１から射出された複数の部分光束を赤（Ｒ）、緑（Ｇ）、青（Ｂ）の３色の色光に分離する色分離光学系としての機能を有している。
リレー光学装置４３は、入射側レンズ４３１、リレーレンズ４３３、および反射ミラー４３２，４３４を備え、色分離光学装置４２で分離された赤色光を赤色光用の液晶パネル４４１（４４１Ｒ）まで導く機能を有している。
【００２８】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル４４１（４４１Ｂ）に達する。このフィールドレンズ４１９は、第２レンズアレイ４１３から射出された各部分光束をその中心軸（主光線）に対して平行な光束に変換する。緑色光用および赤色光用の液晶パネル４４１（４４１Ｇ，４４１Ｒ）の光入射側に設けられたフィールドレンズ４１９も同様である。
【００２９】
ダイクロイックミラー４２１を透過した赤色光と緑色光のうち、緑色光はダイクロイックミラー４２２によって反射し、フィールドレンズ４１９を通って緑色光用の液晶パネル４４１（４４１Ｇ）に達する。一方、赤色光はダイクロイックミラー４２２を透過してリレー光学装置４３を通り、さらにフィールドレンズ４１９を通って赤色光用の液晶パネル４４１（４４１Ｒ）に達する。なお、赤色光の光路上にリレー光学装置４３が配置されているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００３０】
電気光学装置４４は、色分離光学装置４２から射出される３つの色光を画像情報に応じてそれぞれ変調し、変調した各色光を合成して光学像（カラー画像）を形成する。
この電気光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、これら液晶パネル４４１の光束入射側にそれぞれ配置される３つの入射側偏光板４４２と、各液晶パネル４４１の光束射出側にそれぞれ配置される３つの射出側偏光板４４３と、色合成光学装置としてのクロスダイクロイックプリズム４４４とを備えて構成されている。
【００３１】
このうち、入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に偏光膜が貼付された構成を有している。
液晶パネル４４１は、一対の透明ガラス基板に電気光学物質である液晶が密閉封入された構成を有し、制御装置から入力する駆動信号に応じて、画像形成領域内にある液晶の配向状態が制御され、入射側偏光板４４２から射出された偏光光束の偏光方向を変調して、入射する色光に応じた色画像を形成する。
【００３２】
射出側偏光板４４３は、液晶パネル４４１から射出された光束のうち、入射側偏光板４４２における光束の透過軸と直交する偏光軸を有する光束のみ透過させ、その他の光束を吸収するものである。この射出側偏光板４４３は、入射側偏光板４４２と同様の構成を有している。
【００３３】
クロスダイクロイックプリズム４４４は、各射出側偏光板４４３から射出されたＲ画像、Ｇ画像およびＢ画像としての各色光を合成して光学像（カラー画像）を形成する光学素子である。このクロスダイクロイックプリズム４４４は、４つの直角プリズムを貼り合わせた平面視正方形状をなし、直角プリズム同士を貼り合わせた界面には、２つの誘電体多層膜が形成されている。これら誘電体多層膜は、投射レンズ４６と対向する側（Ｇ色光側）に配置された射出側偏光板４４３を介した色光を透過し、残り２つの射出側偏光板４４３（Ｒ色光側およびＢ色光側）を介した色光を反射する。このようにして、各入射側偏光板４４２、各液晶パネル４４１および各射出側偏光板４４３にて変調された各色光が合成されてカラー画像が形成される。
【００３４】
光学部品用筐体４５は、内部に所定の照明光軸Ａが設定され、上述した光学部品４１〜４４を照明光軸Ａに対する所定位置に配置する合成樹脂製の箱状部材である。この光学部品用筐体４５の内部には、詳しい図示を省略したが、各光学部品４１〜４４を位置決め固定するための複数の溝が形成されている。
投射レンズ４６は、電気光学装置４４で形成された光学像（カラー画像）を図示しないスクリーン上に拡大投射する投射光学装置である。この投射レンズ４６は、筒状の鏡筒内に複数のレンズが収納された組レンズとして構成されている。
【００３５】
（４）取付構造７の構成
図４は、取付構造７を示す分解斜視図である。また、図５は、取付構造７の縦断面図である。なお、これら図４および図５においては、プロジェクタ１の天吊り姿勢での取付構造７を示しており、図１および図２で示した正置き姿勢とは上下が逆になっている。
外装筐体２のロアーケース２２には、プロジェクタ１を建物の天井９１等に取り付けるための取付構造７が設けられている。この取付構造７は、ロアーケース２２の内面（ロアーケース２２における下面部２Ｅが形成された側とは反対側の面）２２Ａの孔部２Ｅ９（図２参照）に対応する位置に設けられている。
この取付構造７は、図４および図５に示すように、取付部材としてのインサートナット７１と、介装部材としてのワッシャ７２とを備えて構成されている。
【００３６】
インサートナット７１は、金属等により形成されており、当該インサートナット７１には、円筒部７１１と、当該円筒部７１１の一方の端部側に形成されたフランジ部７１２が形成されている。
このうち、円筒部７１１は、本発明の筒状部に相当し、当該円筒部７１１の外径寸法は、孔部２Ｅ９の内径と略同じ寸法とされており、この円筒部７１１は、当該円筒部７１１のフランジ部７１２が形成された側とは反対側の端部から、ロアーケース２２の内面２２Ａ側より孔部２Ｅ９に熱圧入される。
【００３７】
この円筒部７１１の内部には、フランジ部７１２が形成された側とは反対側の端部に開口するねじ孔７１１１が形成されている。このねじ孔７１１１には、天井９１に設けられ、孔部２Ｅ９を挿通したボルト９２が螺合する。
また、円筒部７１１の外周には、環状突起部７１１２が形成されている。この環状突起部７１１２は、円筒部７１１が孔部２Ｅ９に圧入された際に、当該孔部２Ｅ９の内面に嵌合し、円筒部７１１が孔部２Ｅ９から抜けることを防止する。このため、孔部２Ｅ９には、円筒部７１１により常に外側に広がる方向に応力が加わっている。
【００３８】
フランジ部７１２は、孔部２Ｅ９の内径と略同じ外径を有する円筒部７１１より外側に広がるように平面視略円形状に形成されている。すなわち、フランジ部７１２は、孔部２Ｅ９の内径寸法より大きな外径寸法を有するように形成されている。このフランジ部７１２は、当該フランジ部７１２と、ロアーケース２２の内面２２Ａから突出したボス２Ｅ１０との間に介装されたワッシャ７２を、当該ボス２Ｅ１０に押さえつけるとともに、プロジェクタ１が天吊り姿勢となった際に、外装筐体２を支持する。
【００３９】
ワッシャ７２は、平面視略円形状を有し、略中央に、インサートナット７１の円筒部７１１が挿通する孔部７２１が形成されている。この孔部７２１は、内径寸法が、円筒部７１１の外径寸法より大きく、かつ、フランジ部７１２の外径寸法より小さく形成されている。このため、当該ワッシャ７２は、インサートナット７１のフランジ部７１２に当接され、当該フランジ部７１２により、ボス２Ｅ１０に押さえられる。
【００４０】
このワッシャ７２が当接する、内面２２Ａ側に突出したボス２Ｅ１０には、当該ボス２Ｅ１０の外周部分から放射状に延出するように、リブ２２Ａ１が４つ形成されている。これらリブ２２Ａ１の孔部２Ｅ９の中心からの寸法は、ワッシャ７２の直径とほぼ同じとなるように形成されている。すなわち、内面２２Ａから起立するボス２Ｅ１０およびリブ２２Ａ１は、本発明の起立部を構成している。
【００４１】
このような取付構造７を有するプロジェクタ１を天井９１に取り付ける際には、インサートナット７１のフランジ部７１２とボス２Ｅ１０との間にワッシャ７２が介装された状態で、ロアーケース２２の下面部２Ｅ側のボス２Ｅ１０の先端を、天井９１に当接させ、当該ボス２Ｅ１０の内側により囲まれる孔部２Ｅ９内に、天井９１に設けられたボルト９２を挿通させる。この後、孔部２Ｅ９内に設けられたインサートナット７１のねじ孔７１１１と、孔部２Ｅ９に挿通されたボルト９２とを螺合させ、これらインサートナット７１とボルト９２とを固定する。
この際、プロジェクタ１の荷重が、ロアーケース２２からワッシャ７２を介してインサートナット７１のフランジ部７１２に伝達されるが、当該インサートナット７１の円筒部７１１に形成された環状突起部７１１２が孔部２Ｅ９の内面に嵌合されているため、インサートナット７１が孔部２Ｅ９に支持され、プロジェクタ１は天井９１に支持される。
【００４２】
以上のような本実施形態のプロジェクタ１によれば、以下の効果を奏することができる。
すなわち、インサートナット７１のフランジ部７１２と、外装筐体２を構成するロアーケース２２の内面２２Ａに形成されたボス２Ｅ１０およびリブ２２Ａ１との間に、当該フランジ部７１２の外径寸法よりも大きい外径寸法を有するワッシャ７２が介在配置されている。
ここで、インサートナット７１の熱圧入時には、インサートナット７１を熱してから孔部２Ｅ９に圧入するが、ワッシャ７２が設けられていない場合では、圧入時にインサートナット７１のフランジ部７１２から熱がボス２Ｅ１０の表面に伝わって当該ボス２Ｅ１０が変形し、インサートナット７１の固定位置がずれてしまう可能性がある。このため、インサートナット７１の圧入作業を慎重に行う必要がある。
これに対し、ワッシャ７２を、インサートナット７１のフランジ部７１２とボス２Ｅ１０との間に介在配置させることにより、当該フランジ部７１２から熱がボス２Ｅ１０の表面に伝わることを防ぐことができる。従って、インサートナット７１の孔部２Ｅ９への圧入作業の作業性を向上することができる。
また、プロジェクタ１を天井９１等に設置した状態で、孔部２Ｅ９またはボス２Ｅ１０が破損した場合でも、当該プロジェクタ１の落下を防止することができる。
【００４３】
さらに、ワッシャ７２が設けられていない場合、インサートナット７１に付着した油脂等に由来するケミカルストレスクラック等により孔部２Ｅ９またはボス２Ｅ１０に亀裂（例えば、図５中に示す波線Ｂ）が発生すると、当該亀裂部分でロアーケース２２が割れてしまう場合がある。このような場合、インサートナット７１とボルト９２とが螺合した状態で、インサートナット７１自体、または、当該インサートナット７１と、亀裂が発生した孔部２Ｅ９近傍のロアーケース２２の一部とが、ロアーケース２２から脱落して、プロジェクタ１が落下する可能性がある。
【００４４】
これに対し、インサートナット７１のフランジ部７１２とボス２Ｅ１０との間にワッシャ７２が介装され、当該ワッシャ７２が、ボス２Ｅ１０と複数のリブ２２Ａ１に当接していることにより、孔部２Ｅ９およびボス２Ｅ１０が破損しても、当該ワッシャ７２が、複数のリブ２２Ａ１との当接部分で、プロジェクタ１の荷重を支えることにより、プロジェクタ１の落下を防止することができる。
従って、ロアーケース２２と、当該ロアーケース２２に形成された孔部２Ｅ９に圧入されたインサートナット７１との間にワッシャ７２を介装することで、簡易な構成により、プロジェクタ１の落下を防止することができる。また、このような取付構造７をプロジェクタ１が有することにより、天吊り姿勢を確実に維持することができる。
【００４５】
また、ロアーケース２２の内面２２Ａにおける孔部２Ｅ９の周囲には、当該内面２２Ａから起立するボス２Ｅ１０と、内面２２Ａから起立するとともにボス２Ｅ１０の周囲から放射状に延出する複数のリブ２２Ａ１が形成されている。これによれば、プロジェクタ１を天吊り姿勢とした時に、ワッシャ７２が当接し、当該ワッシャ７２によって支えられるロアーケース２２の領域の厚みを増すことができるので、ロアーケース２２の強度を高めるとともに、ボス２Ｅ１０および複数のリブ２２Ａ１にも荷重がかかるようになり、単位面積あたりの荷重を減少させることができる。従って、プロジェクタ１の落下をより確実に防止することができる。
【００４６】
ここで、ロアーケース２２を含む外装筐体２は合成樹脂により形成されているので、他の領域より大きな厚さ寸法を有する領域が大きくなると、ロアーケース２２の成形時に引けが発生して外装筐体２が変形することが考えられる。これに対し、ワッシャ７２が当接される領域にボス２Ｅ１０およびリブ２２Ａ１が形成されていることにより、ロアーケース２２の厚さ寸法が大きな領域が分散して、他の領域より厚さ寸法の大きな領域の範囲を小さくすることができる。従って、ロアーケース２２の成形時に引けが発生することを抑制することができ、ロアーケース２２の変形、ひいては、外装筐体２の変形を抑制することができる。
【００４７】
（５）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００４８】
前記実施形態では、固定部材として天井９１に設けられたボルト９２を採用し、取付部材として当該ボルト９２に螺合するインサートナット７１とを採用したが、本発明はこれに限らない。例えば、一方が他方に対して嵌合するプラグ様の固定部材および取付部材の組合せとしてもよい。
【００４９】
前記実施形態では、介装部材としてワッシャ７２を採用したが、本発明はこれに限らず、プロジェクタ１の荷重を支えられる程度の強度を有していれば略矩形状等の板状体でもよい。さらに、介装部材としてのワッシャ７２には、インサートナット７１の円筒部７１１が挿通する孔部７２１が形成されているとしたが、本発明はこれに限らない。例えば、介装部材は、インサートナット７１のフランジ部７１２と、ロアーケース２２の内面２２Ａとの間に介装されていればよく、複数の部材によって構成された介装部材が、当該インサートナット７１が嵌合される孔部２Ｅ９の周囲を囲むように設けられていてもよい。
【００５０】
前記実施形態では、本発明の起立部を構成するリブ２２Ａ１は、ロアーケース２２の内面２２Ａにおいて、同じく起立部を構成するボス２Ｅ１０の外周から放射状に延出するとしたが、本発明はこれに限らない。例えば、リブは、ボス２Ｅ１０の周囲を囲み、孔部２Ｅ９に対して同心円状に形成されていてもよい。この他、本発明の起立部は、他の形状を有していてもよい。
【００５１】
前記実施形態では、プロジェクタ１は、３つの液晶パネル４４１Ｒ，４４１Ｇ，４４１Ｂを備えるとしたが、本発明はこれに限らない。すなわち、２つ以下、あるいは、４つ以上の液晶パネルを用いたプロジェクタにも、本発明を適用可能である。
また、前記実施形態では、光学ユニット４は平面視略Ｌ字形状を有した構成を説明したが、これに限らず、例えば、平面視略Ｕ字形状を有した構成を採用してもよい。
さらに、前記実施形態では、光束入射面と光束射出面とが異なる透過型の液晶パネル４４１を用いていたが、光入射面と光射出面とが同一となる反射型の液晶パネルを用いてもよい。
【００５２】
前記実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタにも、本発明を適用することも可能である。このような光変調装置を用いた場合、光束入射側および光束射出側の偏光板４４２，４４３は省略することができる。
【００５３】
前記実施形態では、プロジェクタ１は、天井９１に取り付けられるとしたが、側壁等の壁面に取り付けることも可能である。
また、前記実施形態では、直接天井９１にプロジェクタ１を取り付けていたが、ボルトで固定する構成であれば、プロジェクタと天井との間に取付治具を用いて固定してもよい。
【産業上の利用可能性】
【００５４】
本発明は、天井や側壁等の壁面に取付可能なプロジェクタに好適に利用することができる。
【図面の簡単な説明】
【００５５】
【図１】本発明の一実施形態に係るプロジェクタを上方前面側から見た斜視図。
【図２】前記実施形態におけるプロジェクタを下方背面側から見た斜視図。
【図３】前記実施形態におけるプロジェクタの内部構成を示す模式図。
【図４】前記実施形態における取付構造を示す分解斜視図。
【図５】前記実施形態における取付構造を示す断面図。
【符号の説明】
【００５６】
１…プロジェクタ、２…外装筐体、４６…投射レンズ（投射光学装置）、７１…インサートナット（取付部材）、７２…ワッシャ（介装部材）、９１…天井（壁面）、９２…ボルト（固定部材）、２Ｅ９…孔部、２Ｅ１０…ボス（起立部）、４１６…光源ランプ（光源）、４４１（４４１Ｒ，４４１Ｇ，４４１Ｂ）…液晶パネル（光変調装置）、７１１…円筒部（筒状部）、７１２…フランジ部、２２Ａ１…リブ（起立部）、７１１１…ねじ孔。
【図１】
2007240982.tif 000003
【図２】
2007240982.tif 000004
【図３】
2007240982.tif 000005
【図４】
2007240982.tif 000006
【図５】
2007240982.tif 000007